(57)【要約】【課題】例えば、視聴中の番組の合間に放映されるいわゆるコマーシャル（ＣＭ、番組宣伝）で別の番組が紹介されることもある。例えばＣＭで宣伝される別の番組は視聴中の番組とは別のジャンルであることも多い。また、番組やＣＭでは放送番組に限らず、Ｗｅｂや通信ネットワークで提供されるＷＥＢコンテンツや番組が案内され、テレビやレコーダでＷｅｂや通信ネットワークに接続して、それらのコンテンツを記録できるようになることが考えられる。【解決手段】そこで、受信中の番組または録画された番組の途中に流れるに番組宣伝等のコンテンツ案内から、番組の視聴中にコンテンツを手軽に予約録画等できる録画装置を提供する。これにより、ユーザの利便性が向上する。【選択図】  図１
2008131413.tif 000002
【特許請求の範囲】
【請求項１】
映像データを記録又は再生する映像記録再生装置であって、
受信中又は再生中の映像データから当該映像データとは異なるコンテンツを示すコンテンツ情報を抽出するコンテンツ情報抽出部と、
前記コンテンツ情報抽出部で抽出した第１のコンテンツ情報に基づき、当該第１のコンテンツ情報に対応する第１のコンテンツの記録又は再生を制御する記録再生制御部とを有する映像記録再生装置。
【請求項２】
請求項１の映像記録再生装置であって、
前記コンテンツ情報抽出部は、前記映像データの画面に表示された文字映像を文字認識し、コンテンツ情報を複数含むコンテンツガイド情報と比較してコンテンツ情報を取得する映像記録再生装置。
【請求項３】
請求項２の映像記録再生装置であって、
前記第１のコンテンツ情報抽出部で前記第１のコンテンツ情報を抽出したことを、前記映像データの画面上且つ当該第１のコンテンツ情報を示す文字映像と共に表示して、前記第１のコンテンツの記録又は再生を利用者に確認するコンテンツ選択部を有する映像記録再生装置。
【請求項４】
請求項２の映像記録再生装置であって、
前記コンテンツ情報抽出部による文字認識の程度又は比較結果の合致の程度に応じて、取得したコンテンツ情報の表示の仕方を切り替える映像記録再生装置。
【請求項５】
請求項１の映像記録再生装置であって、
前記記録再生制御部は、前記コンテンツ情報抽出部で抽出した前記第１のコンテンツが記録済かを判断し、記録済と判断すると当該第１のコンテンツを再生する又は記録済であることを出力する映像記録再生装置。
【請求項６】
請求項１から５のいずれかの映像記録装置であって、
前記コンテンツは、ＷＥＢコンテンツである映像記録再生装置。
【請求項７】
請求項１の映像記録再生装置であって、
前記記録再生制御部は、前記第１のコンテンツが記録予約可能かを判断する記録予約部を有する映像記録再生装置。
【請求項８】
請求項７の映像記録再生装置であって、
前記記録予約部は、前記第１のコンテンツ情報の配信時間に基づいて記録予約可能かを判断する映像記録再生装置。
【請求項９】
請求項７の映像記録再生装置であって、
前記記録予約部は、前記第１のコンテンツが記録予約不可と判断すると、当該第１のコンテンツが記録済かを判断し、記録済と判断すると当該第１のコンテンツを再生する又は記録済であることを出力する映像記録再生装置。
【請求項１０】
請求項１の映像記録再生装置であって、
前記記録再生制御部は、前記第１のコンテンツ情報が、所定の条件に該当する場合、記録の予約を設定する記録予約設定部を有する映像記録再生装置。
【請求項１１】
請求項１０の映像記録再生装置であって、
前記所定の条件として、利用者によって設定されたキーワード、ジャンル、チャンネル、及び、時間帯のいずれかを含む映像記録再生装置。
【請求項１２】
請求項１から１１のいずれかの映像記録再生装置であって、
前記コンテンツは所定の時間に配信される番組である映像記録再生装置。
【請求項１３】
映像データを記録又は再生する映像記録再生方法であって、
受信中又は再生中の映像データから当該映像データとは異なるコンテンツを示すコンテンツ情報を抽出し、
前記コンテンツ情報抽出部で抽出した第１のコンテンツ情報に基づき、当該第１のコンテンツ情報に対応する第１のコンテンツの記録又は再生を制御する映像記録再生方法。
【発明の詳細な説明】
【技術分野】
【０００１】
技術分野は、映像を記録又再生する映像記録再生装置に関し、例えば特に再生している映像に基づく記録に関する。
【背景技術】
【０００２】
従来、例えば新聞・雑誌・Ｗｅｂサイト等で知った番組を録画するための予約をする際、放送チャンネルや放送日時などを含む番組情報を録画装置に入力して録画予約していた。近年では、放送波やインターネットを通じて送られてくる電子番組表（ＥＰＧ）が普及したことで、録画装置やＰＣを用いて電子番組表を取得し、視聴したい番組を選択することで録画予約できるようになっている。
【０００３】
また、番組視聴中に録画予約することの提案もある。例えば、特許文献１には、課題として「記録装置に記録された番組の関連番組を提示し、その番組情報から希望関連番組の予約録画を可能にした番組録画予約装置を提供する。」と記載され、解決手段として「放送受信信号もしくは通信回線経由の情報信号により提供される番組及び番組情報を記録する記録手段１１と、記録手段１１に記録された番組の再生視聴時に、その番組の関連番組を過去の番組の関連番組もしくは現在の番組の番組情報から選択抽出する番組抽出手段３と、番組抽出手段３で選択抽出した番組及び番組情報を表示する表示手段９と、表示手段９に表示した番組の中から希望番組を選択する選択手段１３と、選択手段１３で選択した番組の録画設定を予約する録画予約手段１、１２を備える。」と記載されている。
【０００４】
【特許文献１】特開２００６−１７４３６７
【発明の開示】
【発明が解決しようとする課題】
【０００５】
一方、例えば、視聴中の番組の合間に放映されるいわゆるコマーシャル（ＣＭ、番組宣伝）で別の番組が紹介されることもある。
【０００６】
例えばＣＭで宣伝される別の番組は視聴中の番組とは別のジャンルであることも多く、上記特許文献１では、録画予約することできない。
【０００７】
また、番組やＣＭでは放送番組に限らず、Ｗｅｂや通信ネットワークで提供されるＷＥＢコンテンツや番組が案内され、テレビやレコーダでＷｅｂや通信ネットワークに接続して、それらのコンテンツを記録できるようになることが考えられるが、このようなコンテンツを録画予約することも特許文献１ではできない。
【０００８】
なお、放送や通信で提供される番組とＷＥＢ上のＷＥＢコンテンツを総称してコンテンツとも呼ぶ。
【課題を解決するための手段】
【０００９】
そこで、上記課題を解決するために例えば、受信中の番組または録画された番組の途中に流れるに番組宣伝等のコンテンツ案内から、番組の視聴中にコンテンツを手軽に予約録画等できる録画装置を提供する。
【００１０】
具体的に例えば、映像データを記録又は再生する映像記録再生装置であって、受信中又は再生中の映像データから当該映像データとは異なるコンテンツを示すコンテンツ情報を抽出するコンテンツ情報抽出部と、コンテンツ情報抽出部で抽出した第１のコンテンツ情報に基づき、当該第１のコンテンツ情報に対応する第１のコンテンツの記録又は再生を制御する記録再生制御部とを有する映像記録再生装置を採用する。
【発明の効果】
【００１１】
上記手段により、例えばユーザの利便性が向上する。
【００１２】
上記の課題・手段・効果は一例であり、上記以外は実施例の欄で示される。
【発明を実施するための最良の形態】
【００１３】
以下、本発明の実施に好適な実施形態の例を、映像記録再生装置である録画装置を例に説明する。なお、録画装置としては、いわゆるＨＤＤや光ディスクへ記録する据え置き型のレコーダのみならず、録画機能付きのテレビ、テレビチューナーの内蔵／外付対応のパソコン、携帯電話、デジタルカメラなどが考えられる。
【実施例１】
【００１４】
実施例１では、コンテンツのうち、特に放送番組の予約について説明する。ここで放送は、ＴＶ局から地上波デジタル／アナログ、衛星、ケーブルを介して行われる。また、通信回線を介して送信されるＩＰＴＶの番組であってもよい。この放送と通信とを総称して配信ともいう。また、映像として特に動画を例とする。
【００１５】
図２は、実施例１に係る録画装置のハードウェア構成の一例を示す。
【００１６】
録画装置は、ＣＰＵ１０１、主記憶装置１０２、補助記憶装置１０３、表示装置１０４、入力装置１０５を備える。また、放送データを受信して動画データや電子番組表を取得する場合には、さらに、放送データ入力装置１０６を有する。また、ネットワークを介して動画データや電子番組表を取得する場合には、さらに、データ送受信装置１０７を有する。上記１０１から１０７までの各装置はバス１０８によって接続され、各装置間で相互にデータの送受信が行われる。
【００１７】
ＣＰＵ１０１は、主記憶装置１０２や補助記憶装置１０３に格納されているプログラムを実行する。
【００１８】
主記憶装置１０２は、例えば、ランダムアクセスメモリ（ＲＡＭ）やリードオンリーメモリ（ＲＯＭ）等で実現される。主記憶装置１０２は、ＣＰＵ１０１によって実行されるプログラムや録画装置において処理されるデータや動画データ等を格納する。
【００１９】
補助記憶装置１０３は、例えば、ハードディスクドライブ（ＨＤＤ）、Ｂｌｕ−ｒａｙ ＤｉｓｃやＤＶＤなどの光ディスクドライブ、フロッピー（登録商標）ディスクなどの磁気ディスクドライブ、あるいはフラッシュメモリ等の不揮発性メモリ等を、単体あるいは複数組み合わせて構成される。補助記憶装置１０３は、ＣＰＵ１０１によって実行されるプログラムや録画装置において処理されるデータや動画データ等を格納する。
【００２０】
表示装置１０４は、例えば、液晶ディスプレイ、プラズマディスプレイ、プロジェクタ等によって実現され、本録画装置において処理される動画データや本録画装置の動作設定や状況を表す表示データを表示する。
【００２１】
入力装置１０５は、例えば、リモコン、キーボード、マウス等で実現され、利用者は本入力装置１０５を操作することで録画、再生などに関する指示入力を行う。
【００２２】
放送データ取得装置１０６は、例えば、チューナ等で実現され、アンテナで受信した電波から利用者が選局したチャンネルの動画データを補助記憶装置１０３に記憶する。アンテナで受信した電波に電子番組表が含まれている場合、該電波から電子番組表を抽出し、補助記憶装置１０３に格納する。
【００２３】
ネットワーク送受信装置１０７は、例えば、ＬＡＮカード等のネットワークカードによって実現され、ネットワークで繋がっている他の装置から動画データや電子番組表を取得し、補助記憶装置１０３に格納する。
【００２４】
図１は、録画装置における番組宣伝の番組の録画予約を行う機能ブロックの一例を示す。機能ブロックの一部あるいは全部は、図２で示した主記憶装置１０２あるいは補助記憶装置１０３に格納し、ＣＰＵ１０１によって実行されるソフトウェアプログラムとして実現されてもよい。または、ハードウェアとして実現されてもよい。以下では、一例として、これらの機能ブロックの全てがＣＰＵ１０１によって実行されるソフトウェアプログラムであるものとして説明する。
【００２５】
録画装置の機能ブロックは、コンテンツ情報抽出部２００、録画予約部２１０、録画実行部２２０の機能ブロックを備える。
【００２６】
まず、コンテンツ情報抽出部２００を説明する。コンテンツ情報抽出部２００は、解析動画データ入力部２０１、テロップ領域抽出部２０２、文字抽出部２０３、文字認識処理部２０４、番組情報抽出部２０５を備える。
【００２７】
解析動画データ入力部２０１は、補助記憶装置１０３に格納された動画データを入力する。また、解析動画データ入力部２０１は、録画終了後、利用者によって解析が指示された場合、図示しないスケジューラによって決められた時刻になった場合、又は、番組情報を未解析の動画データを検出した場合に、起動される。また、上記以外の場合として、録画が開始された場合に起動してもよく、この場合、後述する録画データ入力部２２１で録画中の動画データを入力するように構成してもよい。これら起動する場合は、任意に組み合わせることができてもよい。また、ユーザが任意に決定できるようにしてもよい。
【００２８】
テロップ領域抽出部２０２は、解析動画データ入力部２０１で入力された動画データに対して、予め決められた時間間隔で、テロップであると判断される画素領域を求め、該画素領域の切り出し画像を作成し、また、テロップが出現開始する時刻とテロップが消失する時刻を求める。コンテンツ情報抽出部２００において、処理時間やメモリの使用量に制限がある場合、該画素領域の切り出し画像を作成せず、該画素領域の座標情報を求めてもよい。テロップであると判断される画素領域を求める方法は、特開平９−３２２１７３号公報、特開平１０−１５４１４８号公報、特開２００１−２８５７１６号公報などで知られる公知の手法を用いることができる。テロップが出現開始する時刻とテロップが消失する時刻を求める方法は、David Crandall, Sameer Antani, Rangachar Kasturi, ”Extraction of special effects caption text events from digital video”,IJDAR (2003) 5: 138-157などで知られる公知の手法を用いることができる。
【００２９】
文字抽出部２０３は、テロップ領域抽出部２０２でテロップであると判断された画素領域の切り出し画像に対して、文字であると判断される画素領域を求め、該画素領域の切り出し画像を作成する。文字であると判断される画素領域を求める方法は、特開２００２−２７９４３３号公報、特開２００６−５９１２４号公報などで知られる公知の手法を用いることができる。
【００３０】
文字認識処理部２０４は、文字であると判断された画素領域の切り出し画像に対し文字認識処理を施し、認識した候補文字列を得る。文字認識処理に、ＯＣＲ（Optical Character Reader）装置内部で行われる文字認識処理を用いる。
【００３１】
また、テロップ領域抽出部２０２、文字抽出部２０３、文字認識処理部２０４はいずれも各々で出力されるデータを相互に利用し、抽出あるいは認識の精度を高めるように構成してもよい。
【００３２】
番組情報抽出部２０５は、放送データ取得装置１０６あるいはネットワーク送受信装置１０７で得られた電子番組表を用いて、文字認識処理部２０４で認識された候補文字列から番組名や時刻情報が含まれているかを判定する。含まれていると判定した場合は番組名や放送時刻等を番組情報として抽出し、本番組情報が含まれるテロップの出現時刻と消失時刻と共に補助記憶装置１０３に格納する。尚、番組情報抽出の際、番組情報の確信度を算出し、確信度が予め決められた条件（例えばしきい値）より小さい場合、候補となる番組情報を複数抽出し、補助記憶装置１０３に格納してもよい。これにより、候補を複数利用者に表示して利用者が正しいものを選択可能になる。また、確信度が予め決められた条件（例えばしきい値）より大きい場合は、候補となる番組情報を一つのみ抽出し、補助記憶装置１０３に格納する。番組情報の確信度は、例えば、番組名と時刻情報が共に含まれている場合にEmaxに、どちらも含まれていない場合にEmin（<Emax）に、時刻情報のみ、あるいは、番組名のみが含まれている場合はEminからEmaxの間とする。さらに、前記確信度に候補文字列の信頼度や場所毎の番組情報出現確率を加味してもよい。
【００３３】
また、コンテンツ情報抽出部２００は、テロップ領域抽出部２０２、文字抽出部２０３、文字認識処理部２０４、の代わりに音声認識処理部を用いて認識した候補文字列を取得し、番組情報抽出部２０５で番組宣伝の番組情報を取得するにしてもよい。また、テロップ領域抽出部２０２、文字抽出部２０３、文字認識処理部２０４で得た候補文字列と音声認識処理部を用いて認識した候補文字列を用いて番組情報抽出部２０５で番組宣伝の番組情報を取得するにしてもよい。また、デジタル放送で配信されるメタデータに含まれるテキストデータ等を用いても良い。
【００３４】
次に、録画予約部２１０を説明する。録画予約部２１０は、予約番組選択部２１１、自動録画条件取得部２１２、録画予約設定部２１３を備える。本録画予約部２１０は、利用者が動画データを再生中、かつ、該動画データに対してコンテンツ情報抽出部２００の処理が終了後である場合、あるいは、利用者が入力装置１０５を介して番組宣伝の表示の指示を送った場合に起動される。
【００３５】
予約番組選択部２１１は、コンテンツ情報抽出部２００で抽出された番組情報を入力し、該番組情報の表示データと該番組の録画予約の選択を受け付けるための表示データを生成し、前記２つの表示データを表示装置１０４に送って表示装置１０４に表示させ、利用者から録画予約の可否の選択を受け付ける。入力装置１０５を介して録画予約が選択された場合、予約番組選択部２１１は該番組情報を後述する録画予約設定部２１３に出力する。
【００３６】
宣伝されている番組が1つのときの、録画予約選択画面の例を図３、図４、図５、図６に示す。なお、宣伝されている番組が複数であって実現できる。
【００３７】
図３は、動画データ中の番組宣伝テロップ３０１以外の場所に、コンテンツ情報抽出部２０２で抽出された番組情報の表示データ３０２と録画予約の選択を受け付けるための表示データ３０３を表示装置１０４に表示した例を示している。このように、再生中の動画データ中の番組宣伝テロップ３０１と該番組情報の表示データ３０２を利用者に見せることで、コンテンツ情報抽出部２００で抽出された番組情報の文字認識が誤っている場合に、該誤りを利用者に気づかせ、誤った録画予約を防ぐことが可能になる。図３の例は、番組情報の候補が一つであり、かつ、番組情報抽出部２０５で算出された番組情報の確信度が予め決められた条件より小さい場合に適用するとしてもよい。また動画データの再生を継続中のときには、テロップ３０１が映っていない場面に移っても表示データ３０２を残すようにすることでユーザが何を録画予約しようとしているのか分かる利点もある。
【００３８】
図４は、動画データ中の番組宣伝テロップ３０１以外の場所に、録画予約を確認する表示データ３０３を表示装置１０４に表示した例を示している。図３の例と比べ、表示データ３０２を表示しないので画面に占める割合が少ない一方、テロップ３０１が正しく認識されたのかがユーザには分からないため、番組情報抽出部２０５の確信度が予め決められたしきい値より大きい場合に切り替えて適用するとしてもよい。
【００３９】
図５は、動画データ中の番組宣伝テロップ３０１がある場所に、コンテンツ情報抽出部２０２で抽出された番組情報の表示データ３０２と録画予約の選択を受け付けるための表示データ３０３とを合成した表示データ３０４を表示装置１０４に表示した例を示している。図５の例は抽出された番組が、利用者が録画済みの番組と同じ場合、または、利用者によって予め設定された番組カテゴリと一致する場合、または、利用者が最も録画する番組カテゴリと一致する場合に適用することで、利用者が興味のある番組宣伝の番組情報の録画予約画面の見逃しを防止することができる。
【００４０】
図６は、入力装置１０５に備えられた表示画面６０１にコンテンツ情報抽出部２０２で抽出された番組情報の表示データ３０２を表示した例を示している。図６の例は、例えば、テロップ領域抽出部２０２で抽出された複数のテロップ領域の合計サイズが所定のしきい値以上の場合に適用することで、表示装置１０４に番組情報の表示データ３０２を表示するスペースが足りない場合に、動画データ中の番組宣伝と番組情報を同時に確認することができる。
【００４１】
尚、図３から図６のいずれの場合において、番組情報の候補が複数ある場合は、それぞれの番組情報の表示データを全て表示してもよい。
【００４２】
尚、本例以外にも、画像処理を行って番組宣伝部分に対する特殊処理を施して表示装置１０４に表示することで利用者に番組宣伝を見やすくする例や、番組情報抽出部２０５で候補となる番組情報が複数抽出された場合、再生中のフレームに該候補となる番組情報を確信度順に全てあるいは予め決められた数だけ表示装置１０４に表示させるようにして、利用者が番組宣伝の番組を誤りなく録画予約できるようにしてもよい。
【００４３】
自動録画条件取得部２１２は、自動録画条件入力部２３０によって入力され、補助記憶装置１０３に記憶された番組宣伝の番組を自動的に録画する条件（以降、自動録画条件と呼ぶ）を取得し、後述する録画予約設定部２１３に自動録画条件を出力する。
【００４４】
録画予約設定部２１３は、予約番組選択部２１１で録画予約の選択を受け付けた番組に対して録画可能か否かを判断し、録画可能な場合、該番組の録画予約データを作成し、該録画予約データを録画予約テーブルに格納し、後述する録画制御部２２１に出力する。録画予約データの構造は、例えば、録画する番組のチャンネルと録画開始時刻と録画終了時刻から構成される。また、予約番組選択部２１１で録画予約の選択を受け付けなかった番組に対しては、コンテンツ情報抽出部２００で抽出された番組情報が自動録画条件取得部２１２で取得された自動録画条件にマッチするとき、該番組の録画予約データを作成し、該録画予約データを録画予約テーブルに格納後述する録画制御部２２１に出力する。
【００４５】
自動録画条件入力部２３０は、自動録画条件の入力を受け付ける画面を生成し、生成された画面を表示装置１０４に表示して、自動録画条件の入力を利用者から受け付ける。利用者から自動録画条件の入力を受け付けたとき、自動録画条件を補助記憶装置１０３に記憶する。利用者から受け付ける自動録画条件として、例えばキーワード、ジャンル（映画、野球、ドキュメンタリーなど）、チャンネル、時間帯（深夜や曜日等）などを用いる。自動録画条件の入力を受け付ける画面の例を図７に示す。図７の例では、自動録画条件の入力を受け付ける画面は、キーワード条件取得画面７０１、チャンネル条件取得画面７０２、曜日条件取得画面７０３から構成される。
【００４６】
最後に、録画実行部２２０について説明する。録画実行部２２０は、録画制御部２２１、録画データ入力部２２２、記憶制御部２２３から構成される。
【００４７】
録画制御部２２１は、現在の時刻が録画予約設定部２１３から出力された録画予約テーブルに格納されているいずれかの録画予約データに記されている録画開始時刻になった場合、放送データ取得装置１０６あるいはネットワーク送受信装置１０７から後述する録画データ入力部２２２を介して動画データを主記憶装置１０２に入力し、後述する記憶制御部２２３により補助記憶装置１０３に格納する。
【００４８】
放送データ取得装置１０６を介して動画データを入力する場合、まず、録画予約データに記されているチャンネルあるいは利用者が入力装置１０５を介して設定されたチャンネルを、後述する録画データ入力部２２２を介して放送データ取得装置１０６に設定する。次に、当該チャンネルの動画データを主記憶装置１０２に入力して、後述する記憶制御部２２３により補助記憶装置１０３に格納する。このとき、入力した動画データをＭＰＥＧ等の方式により圧縮して補助記憶装置１０３に格納してもよい。
【００４９】
ネットワーク送受信装置１０７を介して録画データを入力する場合、録画予約データに記されたＵＲＩあるいは利用者が入力装置１０５を介して設定されたＵＲＩを、後述する録画データ入力部２２２を介してネットワーク送受信装置１０７に設定する。次に、当該ＵＲＩの動画データを主記憶装置１０２に入力して、後述する記憶制御部２２３により補助記憶装置１０３に格納する。
【００５０】
録画データ入力部２２２は、録画制御部２２１により起動され、放送データ取得装置１０６あるいはネットワーク送受信装置１０７から録画対象の動画データを入力する。放送データ取得装置１０６から動画データを入力する場合には、録画制御部２２１で指定されたチャンネルで放送されている動画データを取得し、主記憶装置１０２に格納する。放送がアナログ放送の場合、動画データをデジタルデータに変換して、主記憶装置１０２に格納する。放送がデジタル放送の場合、動画データをそのまま主記憶装置１０２に格納する。ネットワーク送受信装置１０７から動画データを入力する場合には、録画制御部２２１の指示により、ネットワーク経由で動画データを取得し、主記憶装置１０２に格納する。
【００５１】
記憶制御部２２３は、録画制御部２２１からの指示により、録画データ入力部２２２から入力され主記憶装置１０２に格納された動画データを補助記憶装置１０３に記憶する。
【００５２】
次に録画装置の各機能ブロックの処理フローを説明する。
【００５３】
図８は、録画装置のコンテンツ情報抽出部２００における番組宣伝の番組情報を抽出する処理のフローチャートである。
【００５４】
本コンテンツ情報抽出部２００は、解析動画データ入力部２０１が補助記憶装置１０３に格納された動画データを入力する（ステップ８０１）。なお、補助記憶装置１０３に格納された動画データに限らず、放送データ入力装置１０６やネットワークデータ送受信装置１０７から入力された動画データについて、実行してもよい。
【００５５】
テロップ領域抽出部２０２が、ステップ８０１で入力された動画データから、テロップであると判断される画素領域を求め、該画素領域の切り出し画像と該テロップの出現時刻と消失時刻を作成する（ステップ８０２）。
【００５６】
文字抽出部２０３が、ステップ８０２で作成された切り出し画像に対して、文字であると判断される画素領域を求め、該画素領域の切り出し画像を作成する（ステップ８０３）。
【００５７】
文字認識処理部２０４が、ステップ８０３で作成された切り出し画像に対し文字認識処理を施し、認識した候補文字列を取得する（ステップ８０４）。
【００５８】
番組情報抽出部２０５が、補助記憶装置１０３に記憶されている電子番組表と文字認識処理部２０４で認識された候補文字列から番組名や放送時刻等の番組に関連する情報が含まれているかを判定し、含まれている場合は番組名や放送時刻等を番組情報として抽出する（ステップ８０５）。番組情報のデータ構造は、番組名、放送時刻、開始時刻、終了時刻から構成される。
【００５９】
番組情報の抽出方法（ステップ８０５）の詳細を、図９のフローチャートを用いて説明する。
【００６０】
図９の番組情報の抽出方法（ステップ８０５）は、候補文字列の中から時刻情報を抽出する（ステップ９０１）。
【００６１】
候補文字列と補助記憶装置１０３に記憶されている予め設定された期間の電子番組表の番組名を照合し、候補文字列の中から該番組名を抽出する（ステップ９０２）。
【００６２】
ステップ９０１とステップ９０２の結果、時刻情報のみが抽出された場合（ステップ９０３、Ｙ）は、該時刻情報を番組の放送時刻とみなして、電子番組表から該時刻に放送される番組名を抽出する（ステップ９０６）。
【００６３】
抽出された番組名と時刻情報と共に、本テロップ領域抽出部２０２で抽出した該番組情報を含むテロップの出現時刻と消失時刻を補助記憶装置１０３に保存し（ステップ９０７）、本処理を終了する。
【００６４】
ステップ９０１とステップ９０２の結果、番組名のみが抽出された場合（ステップ９０４、Ｙ）は、該番組名を電子番組表から検索して、該番組名の番組が放送される時刻を抽出する（ステップ９０８）。
【００６５】
抽出された時刻情報と番組名と共に、テロップ領域抽出部２０２で抽出した該番組情報を含むテロップの出現時刻と消失時刻を補助記憶装置１０３に保存し（ステップ９０７）、本処理を終了する。
【００６６】
ステップ９０１とステップ９０２の結果、時刻情報と番組名どちらも含まれている場合（ステップ９０５、Ｙ）は、抽出された番組名と時刻情報と共に、本テロップ領域抽出部２０２で抽出した該番組情報を含むテロップの出現時刻と消失時刻を補助記憶装置１０３に保存し（ステップ９０７）、本処理を終了する。
【００６７】
ステップ９０１とステップ９０２の結果、時刻情報と番組名どちらも含まれていない場合（ステップ９０５、Ｎ）は、本処理を終了する。
【００６８】
図１０は、図８や９の処理により、コンテンツ情報抽出部２００で番組情報を抽出したことを受けて実行される、録画装置の録画予約部２１０における処理のフローチャートである。
【００６９】
録画予約部２１０は、予約番組選択部２１１がコンテンツ情報の表示データと録画予約の選択を受け付ける表示データを合わせた録画予約選択画面データを生成し（ステップ１００１）、録画予約選択画面データを表示装置１０４又は入力装置１０５に送信して図３から図６に例示した番組選択画面を表示させる（ステップ１００２）。
【００７０】
利用者からの録画予約選択の有無を確認する（ステップ１００３）。録画予約の選択がある場合（ステップ１００４、Ｎ）、例えば図３の表示データ３０３でＹｅｓが選択された場合には、図１０の１０Ａへ移る。録画予約の選択がない場合（ステップ１００４、Ｙ）、ステップ１００２を実行後の経過時間を計測する（ステップ１００５）。録画予約選択画面で録画予約しないことが選択（例えば図３の表示データ３０３でＮが選択）されたときには、処理を終了する（Ｅｎｄ）。
【００７１】
該経過時間が或る時間Ｔ（秒、分、時間）経過していない場合（ステップ１００６、Ｎ）、ステップ１００３を実行する。時間Ｔは、固定であっても可変であってもよい。
【００７２】
時間Ｔが経過したならば（ステップ１００６、Ｙ）、図７等で説明した自動録画条件とコンテンツ情報抽出部２００で抽出された番組宣伝の番組情報とを照合する（ステップ１００７）。照合の結果、番組情報が自動録画条件に合致した場合（ステップ１００８、Ｙ）、図１０の１０Ａに移る。なお、合致とは完全一致に限らず、一部一致や包含なども含む用語とする。番組情報が自動録画条件に合致しなかった場合（ステップ１００８、Ｎ）、本処理を終了する（Ｅｎｄ）。
【００７３】
自動録画条件に合致する番組すべてを予約録画する方法も考えられるが、本方法のように、番組宣伝されており番組情報を検出したものに自動録画条件が合致するものを予約録画することにより、より的を射た自動録画を可能にする。なぜなら、一般に宣伝される番組には作成者も注力しており、且つ、視聴者の注目度も高まるため、そのような番組について、しかも利用者の好みに合うものを自動録画することができるためである。
【００７４】
図１０の１０Ａからの処理を説明する。ステップ１００４で録画予約が選択された番組情報又はステップ１００８で自動録画条件に合致した番組情報の、番組開始時刻と現在時刻とを比較して、番組が時間的に録画可能か否かを判定する（ステップ１００９）。
【００７５】
録画可能か否かは、番組の開始時刻が現在時刻から或る時間Ｍ（秒、分、時間）が経過しているか否かで判定する。なぜなら、例えば補助記憶装置１０３に録画された後、しばらく時間が経過してから再生された映像の番組宣伝から番組情報を取得していた場合には、その番組情報が既に放送等が終了してしまったものである可能性があるためである。
【００７６】
なお、単純に開始時刻と現在時刻とを比較してもよいが、録画開始までには起動時間もかかるため、或る時間Ｍをおくとよい。時間Ｍは装置によって固定であっても、ユーザによって可変であっても、装置が設置されている環境（放送や通信の速度等）に応じて可変であってもよい。また、時間Ｍは負数であってもよい。すなわち、番組が開始されているが途中からであっても予約を行える時間であれば、録画予約を許可してもよい。この場合には、時間Ｍは、番組の時間に基づいて可変に設定される（１時間番組であれば、開始時刻から５０分経過（マイナス５０分）までは録画予約を許可する等）。この場合、録画予約ではなくその番組を再生することを利用者に問合せて、利用者が再生を選択した場合には再生するようにしてもよい。また、開始時刻ではなく終了時刻と比較するようにしてもよい。
【００７７】
比較の結果、録画不可能な場合（ステップ１０１０、Ｎ）、すなわち例えば番組情報の放送が終了していた場合などには、図１０の１０Ｃへ移る。
【００７８】
比較の結果、録画可能な場合（ステップ１０１０、Ｙ）、すなわち例えば番組情報の放送がこれからの場合などには、番組の情報が録画予約テーブルの全録画予約データに含まれているかを調査することで、番組が録画予約済か否かを判定する（ステップ１０１１）。番組が録画予約済でない場合（ステップ１０１２、Ｙ）、該番組の録画予約データを作成し、該録画予約データを録画予約テーブルに格納して、番組の録画予約を設定する（ステップ１０１３）。番組が録画予約済みである場合（ステップ１０１２、Ｎ）、本処理を終了する（Ｅｎｄ）。
【００７９】
次に録画予約が選択された番組が録画不可能である場合の１０Ｃ以降の処理を説明する。
【００８０】
補助記憶装置１０３から番組の動画データを検索することで、番組が録画済か否かを判定する（ステップ１０１４）。ステップ１０１０で録画不可能と判定された場合には、前述したように既に放送が終了した場合が含まれるため、その放送時に録画されている可能性があるためである。ステップ１０１４の判定の結果、録画済みでなければ（ステップ１０１５、Ｎ）、本処理を終了する。
【００８１】
録画済みならば（ステップ１０１５、Ｙ）、番組を再生するか否かを利用者に選択させるため、再生選択画面データを生成し（ステップ１０１６）、再生選択画面データを表示装置１０４に送信し、表示装置１０４で再生選択画面を表示する（ステップ１０１７）。表示例を図１１に示す。
【００８２】
図１１の再生選択画面は、動画データ中の番組宣伝テロップ３０１と、録画済みの番組の再生を選択するための表示データ１１０１を有する。再生選択まで示さず、番組宣伝された番組が録画されていることを示すメッセージを表示するようにしてもよい。
【００８３】
次に、利用者からの再生選択の有無を確認し（ステップ１０１８）、利用者からの番組選択がない場合（ステップ１０１９、Ｎ）、ステップ１００２を実行後の経過時間を計測する（ステップ１０２０）。計測時間が予め定められたＴ’時間経過していない場合（ステップ１０２１、Ｎ）、ステップ１０１８を処理する。計測時間がＴ’時間経過した場合（ステップ１０２１、Ｙ）、再生選択画面を消去し（ステップ１０２２）、本処理を終了する（Ｅｎｄ）。再生選択画面で、再生しないと選択（表示データ１１０１でＮが選択）されたときにも、ステップ１０２２を実行する。
【００８４】
利用者からの再生選択がある場合（ステップ１０１９、Ｎ）、再生中の番組を停止し（ステップ１０２３）、選択された番組を再生し（ステップ１０２４）、本処理を終了する（Ｅｎｄ）。
【００８５】
なお、ステップ１０１５をステップ１０１０の後で実効する例を説明したが、先に実行しても良い。またどちらか一方だけを採用しても良い。
【００８６】
図１２は、録画装置の録画実行部２２０における処理のフローチャートである。本録画実行部２２０は、現在時刻が録画予約データに記された録画開始時刻になるまで待機する（ステップ１２０１）。録画開始時刻になったとき、録画制御部２２１が放送データ取得装置１０６あるいはネットワーク送受信装置１０７から録画データ入力部２２２を介して動画データを主記憶装置１０２に格納し、録画制御部２２１が記憶制御部２２３を起動して、記憶制御部２２３が主記憶装置１０２に格納された動画データを補助記憶装置１０３に格納する（ステップ１２０２）。現在時刻が録画予約データに記された録画終了時刻になっていないとき、ステップ１２０２を行う。現在時刻が録画予約データに記された録画終了時刻になったとき（ステップ１２０３）、本処理を終了する。
【００８７】
図１３は、番組宣伝の番組の録画予約を行う処理のフローチャートである。まず、録画終了後に利用者によって解析が指示された場合、あるいは、図示しないスケジューラによって決められた時刻になった場合、あるいは、番組宣伝の番組情報が未抽出である動画データを検出した場合、コンテンツ情報抽出部２００が動画データの全フレームから番組宣伝の番組情報を抽出する（ステップ１３０１）。利用者が動画データを再生中であり、かつ、該動画データでコンテンツ情報抽出部２００の処理が終了後の場合、あるいは、利用者が入力装置１０５を介して番組宣伝情報の表示の指示を送った場合、録画予約部２１０が録画予約データを生成し録画予約テーブルに格納することで、番組宣伝の番組の録画予約を設定する（ステップ１３０２）。次に、録画実行部２２０が録画予約テーブルにある録画予約データをもとに録画を実行する（ステップ１３０３）。
【００８８】
これにより、放送中の番組または録画された番組の途中に流れるに番組の宣伝から手間なく番組データを取得する録画装置を提供する。
【実施例２】
【００８９】
実施例１では、動画データから番組データを取得して録画予約する例を説明した。実施例２では動画データから所定の時間に配信される番組ではない（配信されるというより、ユーザ側から取得しにいく）ネットワーク上のコンテンツ情報（ネットワークコンテンツ情報と呼ぶ、ＵＲＩ等）を抽出してコンテンツを取得する例を説明する。
【００９０】
図１４は、実施例２に係る録画装置の機能ブロック図である。機能ブロックの一部あるいは全部は、図２で示した主記憶装置１０２あるいは補助記憶装置１０３に格納し、ＣＰＵ１０１によって実行されるソフトウェアプログラムとして実現されてもよい。または、ハードウェアとして実現されてもよい。以下では、一例として、これらの機能ブロックの全てがＣＰＵ１０１によって実行されるソフトウェアプログラムであるものとして説明する。
【００９１】
録画装置の機能ブロックは、コンテンツ情報抽出部２００、コンテンツダウンロード設定部１４１０、ダウンロード実行部１４２０の機能ブロックから構成される。最初に、コンテンツ情報抽出部２００について説明する。
【００９２】
コンテンツ情報抽出部２００は、実施例１で示した解析動画データ入力部２０１、テロップ領域抽出部２０２、文字抽出部２０３、文字認識処理部２０４と、ネットワークコンテンツ情報抽出部１４０５から構成される。
【００９３】
ネットワークコンテンツ情報抽出部１４０５は、文字認識処理部２０４で認識された候補文字列からhttp://やhttps://などのＵＲＩとして利用されているキーワードが含まれているかを判定し、該キーワードからスペースがくるまでの部分をＵＲＩとして抽出し、補助記憶装置１０３に格納する。尚、ネットワークコンテンツ情報の抽出の際、ネットワークコンテンツ情報の確信度を算出し、確信度が予め決められた条件（例えばしきい値）より小さい場合、候補となるネットワークコンテンツ情報を複数抽出し、補助記憶装置１０３に格納してもよい。これにより、候補を複数利用者に表示して利用者が正しいものを選択可能になる。また、確信度が予め決められた条件（例えばしきい値）より大きい場合は、候補となるネットワークコンテンツ情報を一つのみ抽出し、補助記憶装置１０３に格納する。ネットワークコンテンツ情報の確信度は、例えば、URIキーワード文字の抽出率を用いる。さらに、前記確信度に候補文字列の信頼度や場所毎の番組情報出現確率を加味してもよい。
【００９４】
次に、コンテンツダウンロード設定部１４１０について説明する。
【００９５】
コンテンツダウンロード設定部１４１０は、ネットワークコンテンツ選択部１４１１と、自動ダウンロード条件取得部１４１２、ダウンロード設定部１４１３から構成される。
【００９６】
ネットワークコンテンツ選択部１４１１は、ネットワークコンテンツ情報抽出部１４０５で抽出されたネットワークコンテンツ情報を入力し、該ネットワークコンテンツ情報の表示データと該ネットワークコンテンツのダウンロードの選択を受け付けるための表示データを生成し、該ネットワークコンテンツ情報の表示データとダウンロードの選択を受け付けるための表示データを表示装置１０４に送って表示装置１０４に表示させ、利用者からネットワークコンテンツ取得の可否の選択を受け付ける。入力装置１０５を介してダウンロードが選択された場合、ネットワークコンテンツ選択部１４１１は該ネットワークコンテンツ情報を後述するダウンロード設定部１４１３に出力する。ネットワークコンテンツ取得選択画面の例を図１９に示す。
【００９７】
図１９は、ネットワークコンテンツ情報１９０１以外の場所に、ネットワークコンテンツ情報抽出部１４０５で抽出されたネットワークコンテンツ情報の表示データ１９０２と、ネットワークコンテンツの取得選択を受け付ける表示データ１９０３を表示装置１０４に表示した例を示している。
【００９８】
自動ダウンロード条件取得部１４１２は、後述するダウンロード条件入力部１４３０によって入力され補助記憶装置１０３に記憶された、ネットワークコンテンツを自動的にダウンロードする条件（以降、自動ダウンロード条件と呼ぶ）を取得し、ダウンロード設定部１４１３に自動ダウンロード条件を出力する。
【００９９】
ダウンロード設定部１４１３は、ネットワークコンテンツ選択部１４１１でダウンロードの選択を受け付けたコンテンツのＵＲＩをダウンロード制御部１４２１に出力する。また、ネットワークコンテンツ選択部１４１１でダウンロードの選択を受けなかった場合、コンテンツ情報抽出部２００で抽出されたコンテンツのＵＲＩが自動ダウンロード条件取得部１４１２で取得された自動ダウンロード条件にマッチするとき、該コンテンツのURIをダウンロード制御部１４２１に出力する。
【０１００】
ダウンロード条件入力部１４３０は、自動ダウンロードの入力を受け付ける画面を生成し、生成された画面を表示装置１０４に表示して、利用者から自動録画条件の入力を受け付ける。利用者から自動ダウンロードの入力を受け付けたとき、自動ダウンロード条件を補助記憶装置１０３に記憶する。
【０１０１】
利用者から受け付ける自動ダウンロード条件として、例えばトップページ内に含まれるキーワード、ドメイン、コンテンツの拡張子などを用いる。ダウンロード条件の入力を受け付ける画面の例を図２０に示す。図２０の例では、自動録画条件の入力を受け付ける画面は、トップページ内に含まれるキーワードを設定する画面２００１、ドメインの条件を設定する画面２００２、拡張子の条件を設定する２００３から構成される。
【０１０２】
次に、ダウンロード実行部１４２０について説明する。
【０１０３】
ダウンロード実行部１４２０は、実施例１で説明した記憶制御部２２３、ダウンロード制御部１４２１、ダウンロードデータ入力部１４２２から構成される。
【０１０４】
ダウンロード制御部１４２１は、ダウンロード設定部１４１３からＵＲＩ情報を受け取った場合、あるいは利用者から入力装置１０５を介してＵＲＩが設定された場合、該ＵＲＩを、ダウンロードデータ入力部１４２２を介してネットワーク送受信装置１０７に設定する。次に、該ＵＲＩのコンテンツを主記憶装置１０２に入力して、記憶制御部２２３により補助記憶装置１０３に格納する。
【０１０５】
ダウンロードデータ入力部１４２２は、ダウンロード制御部１４２１により起動され、ネットワーク送受信装置１０７からダウンロード対象のコンテンツを取得し、主記憶装置１０２に格納する。
【０１０６】
次に録画装置の各機能ブロックの処理フローを説明する。
【０１０７】
図１５は、録画装置のコンテンツ情報抽出部２００における処理のフローチャートである。
【０１０８】
本コンテンツ情報抽出部２００は、ステップ８０１からステップ８０４までは図８と同様の処理を行い、次に、ネットワークコンテンツ情報抽出部１４０５が、文字認識処理部２０４で認識された候補文字列からＵＲＩが含まれているかを判定し、含まれている場合はＵＲＩをネットワークコンテンツ情報として抽出する（ステップ１５０５）。ネットワークコンテンツ情報のデータ構造は、ＵＲＩ、開始時刻、終了時刻から構成される。ネットワークコンテンツ情報の抽出方法（ステップ１５０５）を図１６のフローチャートを用いて説明する。
【０１０９】
ネットワークコンテンツ情報の抽出方法（ステップ１５０５）は、候補文字列の中からＵＲＩキーワードを抽出する（ステップ１６０１）。ステップ１６０１の結果、ＵＲＩキーワードが抽出された場合（ステップ１６０２、Ｙ）、該ＵＲＩキーワードからスペースがあるまでの文字をＵＲＩとして抽出する（ステップ１６０３）。抽出されたＵＲＩと共に、本テロップ領域抽出部２０２で抽出した該ネットワークコンテンツ情報を含むテロップの出現時刻と消失時刻を補助記憶装置１０３に保存し（ステップ１６０４）、本処理を終了する。ステップ１６０１の結果、ＵＲＩキーワードが時刻情報のみが抽出失敗した場合（ステップ１６０２、Ｎ）、本処理を終了する。
【０１１０】
図１７は、録画装置のコンテンツダウンロード設定部１４１０における処理のフローチャートである。
【０１１１】
本コンテンツダウンロード設定部１４１０は、ネットワークコンテンツ選択部１４１１がコンテンツ情報の表示データとダウンロードの選択を受け付ける表示データを合わせたダウンロード選択画面データを生成し（ステップ１７０１）、ダウンロード選択画面データを表示装置１０４又は入力装置１０５に送信して図１９に例示したダウンロード選択画面を表示させる（ステップ１７０２）。
【０１１２】
利用者からのダウンロード選択の有無を確認する（ステップ１７０３）。ダウンロードの選択がある場合（ステップ１７０４、Ｎ）、例えば図１９の表示データ１９０３でＹｅｓが選択された場合には、図１７の１７Ａへ移る。ダウンロードの選択がない場合（ステップ１７０４、Ｙ）、ステップ１７０２を実行後の経過時間を計測する（ステップ１７０５）。ダウンロード選択画面でダウンロードしないことが選択（例えば図１９の表示データ１９０３でＮが選択）されたときには、処理を終了する（Ｅｎｄ）。
【０１１３】
該経過時間が或る時間Ｔ（秒、分、時間）経過していない場合（ステップ１７０６、Ｎ）、ステップ１７０３を実行する。時間Ｔは、固定であっても可変であってもよい。
【０１１４】
時間Ｔが経過したならば（ステップ１７０６、Ｙ）、図２０等で説明した自動ダウンロード条件とコンテンツ情報抽出部２００で抽出されたネットワークコンテンツのＵＲＩや前記ＵＲＩのトップページ（例えばＵＲＩがhttp://xxx.yyy.zzz/**/a.jpgならば、http://xxx.yyy.zzz/**/やhttp://xxx.yyy.zzz/**/）内のテキストと照合する（ステップ１７０７）。照合の結果、自動ダウンロード条件に合致した場合（ステップ１７０８、Ｙ）、図１７の１７Ａに移る。なお、合致とは完全一致に限らず、一部一致や包含なども含む用語とする。番組情報が自動録画条件に合致しなかった場合（ステップ１７０８、Ｎ）、本処理を終了する（Ｅｎｄ）。
【０１１５】
次に１７Ａからの処理を説明する。まず、前記ＵＲＩを解析することで、ダウンロード対象のコンテンツがストリーミングデータか否かを判定する（ステップ１７０９）。判定の結果、ストリーミングであった場合（ステップ１７１０、Ｙ）、本処理を終了する。ストリーミングでなかった場合（ステップ１７１０、Ｎ）、補助記憶装置１０３からコンテンツのデータを検索することで、ネットワークコンテンツ情報で記されたＵＲＩのネットワークコンテンツを既にダウンロードしたか否かを判定する（ステップ１７１１）。
【０１１６】
検索の結果、ダウンロード済である場合（ステップ１７１２、Ｙ）、ステップ１７１４に移る。検索の結果、ダウンロード済でない場合（ステップ１７１２、Ｎ）、ＵＲＩをダウンロード実行部１４２０に出力して、ダウンロード実行部１４２０を実行することでコンテンツをダウンロードし（ステップ１７１３）、ステップ１７１４に移る。
【０１１７】
ステップ１７１４からステップ１７２２までの処理は図１０のステップ１０１６からステップ１０２４までと同様の処理を行う。ただし、図１７のステップ１７２０では、選択されたコンテンツの種類によって、再生方法を変える。例えば、コンテンツが画像やテキストデータであった場合、表示装置１０５に表示する。コンテンツが、動画データの場合は再生する。
【０１１８】
図１８は、ネットワークコンテンツ案内のコンテンツのダウンロードを行う処理のフローチャートである。まず、録画終了後に利用者によって解析が指示された場合、あるいは、図示しないスケジューラによって決められた時刻になった場合、あるいは、ネットワークコンテンツ案内のコンテンツ情報が未抽出である動画データを発見した場合、コンテンツ情報抽出部２００が動画データの全フレームからネットワークコンテンツ案内のコンテンツ情報を抽出する（ステップ１８０１）。利用者が動画データを再生中であり、かつ、該動画データでコンテンツ情報抽出部２００の処理が終了後の場合、あるいは、利用者が入力装置１０５を介してネットワークコンテンツ情報の表示の指示を送った場合、コンテンツダウンロード設定部１４１０が、利用者からのコンテンツダウンロードの選択や自動ダウンロード条件との照合を基にネットワークコンテンツ情報（ここでは、ＵＲＩ）をダウンロード実行部１４２０に出力することで、ダウンロードを設定する（ステップ１８０２）。次に、ダウンロード実行部１４２０がコンテンツダウンロード設定部１４１０から出力されたネットワークコンテンツ情報をもとにダウンロードを実行する（ステップ１８０３）。
【０１１９】
以上、上述した実施例によれば受信中又は再生中の動画データに含まれる別のコンテンツの案内を利用して簡便に案内されたコンテンツを録画予約等できる。
【０１２０】
なお、実施例１と２とを組み合わせることも可能であり、また各実施例の構成やステップの取捨選択も可能である。
【図面の簡単な説明】
【０１２１】
【図１】実施例１に係る録画装置の機能ブロック構成の一例である。
【図２】録画装置のハードウェア構成の一例である。
【図３】実施例１に係る録画装置の予約番組選択部が作成して表示装置に表示する録画予約確認画面の一例である。
【図４】実施例１に係る録画装置の予約番組選択部が作成して表示装置に表示する録画予約確認画面の別の例である。
【図５】実施例１に係る録画装置の予約番組選択部が作成して表示装置に表示する録画予約確認画面の別の例である。
【図６】実施例１に係る録画装置の予約番組選択部が作成して入力装置に表示する画面の一例である。
【図７】実施例１に係る録画装置の自動録画条件入力部において自動録画条件の入力を受け付ける際に入力装置に表示する画面の一例である。
【図８】実施例１に係る録画装置のコンテンツ情報抽出部における処理例のフローチャートである
【図９】実施例１に係る録画装置の番組情報抽出の処理例のフローチャートである。
【図１０】実施例１に係る録画装置の録画予約部における処理例のフローチャートである
【図１１】実施例１に係る録画装置の録画予約部が生成する再生選択画面の例である。
【図１２】実施例１に係る録画装置の録画実行部における処理例のフローチャートである。
【図１３】実施例１に係る録画装置における番組宣伝の番組の録画予約処理例のフローチャートである。
【図１４】実施例２に係る録画装置の機能ブロック構成の一例である。
【図１５】実施例２に係る録画装置のコンテンツ情報抽出部における処理例のフローチャートである。
【図１６】実施例２に係る録画装置のコンテンツ情報抽出の処理例のフローチャートである。
【図１７】実施例２に係る録画装置のコンテンツダウンロード設定部における処理例のフローチャートである。
【図１８】実施例２に係る録画装置におけるネットワークコンテンツのダウンロード処理例のフローチャートである。
【図１９】実施例２に係る録画装置のダウンロード選択部が作成して表示装置に表示するダウンロード確認画面の一例である。
【図２０】実施例２に係る録画装置の自動録画条件入力部において自動ダウンロード条件の入力を受け付ける際に入力装置に表示する画面の一例である。
【符号の説明】
【０１２２】
１０１…ＣＰＵ、１０２…主記憶装置、１０３…補助記憶装置、１０４…表示装置、１０５…入力装置、１０６…放送データ入力装置、１０７…ネットワークデータ送受信装置、２００…コンテンツ情報抽出部、２０１…解析動画データ入力部、２０２…テロップ領域抽出部、２０３…文字抽出部、２０４…文字認識処理部、２０５…番組情報抽出部、２１０…録画予約部、２１１…予約番組選択部、２１２…自動録画条件取得部、２２０…録画実行部、２２１…録画制御部、２２２…録画データ入力部、２２３…記憶制御部、２３０…自動録画条件入力部
【図１】
2008131413.tif 000003
【図２】
2008131413.tif 000004
【図３】
2008131413.tif 000005
【図４】
2008131413.tif 000006
【図５】
2008131413.tif 000007
【図６】
2008131413.tif 000008
【図７】
2008131413.tif 000009
【図８】
2008131413.tif 000010
【図９】
2008131413.tif 000011
【図１０】
2008131413.tif 000012
【図１１】
2008131413.tif 000013
【図１２】
2008131413.tif 000014
【図１３】
2008131413.tif 000015
【図１４】
2008131413.tif 000016
【図１５】
2008131413.tif 000017
【図１６】
2008131413.tif 000018
【図１７】
2008131413.tif 000019
【図１８】
2008131413.tif 000020
【図１９】
2008131413.tif 000021
【図２０】
2008131413.tif 000022